(57)【特許請求の範囲】
【請求項１】
ビデオ情報の違法コピーを防止する方法であって、
ａ）スケールのレンジから選択された第１のスケールを有するウォータマークを、第１の時間の期間にわたって前記ビデオ情報に埋め込むステップと、
ｂ）前記第１の時間の期間中又は前記期間の終了から、前記スケールのレンジから選択された別のスケールを有するウォータマークを、第２の時間の期間にわたって前記ビデオ情報に埋め込むステップと、
ｃ）毎回異なるスケールを使用して所定回数前記ステップｂ）を繰り返すステップとを備え、
前記スケールのレンジに含まれるスケールは、ウォータマークが埋め込まれた前記ビデオ情報の画像スケールが変更されたとしても、前記スケールのうちの１つを用いて埋め込まれたウォータマークについて、前記ウォータマークが、所定のサイズ及び位置のウォータマークを検出する典型的なウォータマーク検出器により検出可能な位置及びサイズに回復されるようあらかじめ選択される、
ことを特徴とする方法。
【請求項２】
前記ビデオ情報の期間の一部又は全体を通して、前記ステップａ）から前記ステップｃ）を繰り返すステップをさらに備える、
請求項１記載の方法。
【請求項３】
前記第１のスケールを有するウォータマークは、前記ビデオ情報の期間の１／４を通して埋め込まれ、他のスケールを有するウォータマークは、前記ビデオ情報の残りの期間を通して埋め込まれる、
請求項２記載の方法。
【請求項４】
選択された各スケールが、埋め込まれたウォータマークのスケーリングにおいて所定回数使用されるまで、前記ステップｃ）を繰り返すステップをさらに備える、
請求項１記載の方法。
【請求項５】
それぞれのスケールは、前記ステップｂ）においてランダムに選択される、
請求項１記載の方法。
【請求項６】
前記スケールのレンジは、前記第１のスケールに関して±２０パーセントである、
請求項２記載の方法。
【請求項７】
前記ウォータマークが埋め込まれるスケールの数は、前記スケールのレンジ、及び前記ウォータマーク検出器のウォータマーク検出解像度を使用して決定される、
請求項５記載の方法。
【請求項８】
前記第１の時間の期間は、前記ウォータマーク検出器により前記ウォータマークを検出、抽出及び処理するために要求される時間に基づく、
請求項２記載の方法。
【請求項９】
前記ビデオ情報のソースは、デジタルバーサティルディスク（ＤＶＤ）である、
請求項１記載の方法。
【請求項１０】
前記ビデオ情報のソースは、ブロードキャストされるビデオ信号、ケーブル伝送されるビデオ信号又はインターネット伝送されるビデオ信号である、
請求項１記載の方法。
【請求項１１】
前記第１の時間の期間は前記第２の時間の期間に等しい、
請求項１記載の方法。
【請求項１２】
前記第１の時間の期間は前記第２の時間の期間と異なる、
請求項１記載の方法。
【請求項１３】
コンテンツを記憶するための記録媒体であって、
前記記録媒体は前記コンテンツに種々のスケールで埋め込まれるウォータマークを有し、前記ウォータマークの埋め込みは、スケールのレンジから選択された第１のスケールを有するウォータマークが第１の時間の期間にわたって前記記録媒体のコンテンツに埋め込まれ、前記第１の時間の期間中又は前記期間の終了から、前記スケールのレンジから選択された別のスケールを有するウォータマークが第２の時間の期間にわたって前記記録媒体のコンテンツに埋め込まれ、それぞれ異なるスケールを有する所定数の後続するウォータマークが前記コンテンツに同様に埋め込まれるようなパターンに従い、
プレーヤーによる前記コンテンツの再生の際に前記ビデオ情報の画像スケールが変更されたとしても、画像スケールの前記変更は埋め込まれたウォータマークの少なくとも一つが、所定のサイズ及び位置のウォータマークを検出するプレーヤー内の典型的なウォータマーク検出器により検出可能な位置及びサイズに回復される、
ことを特徴とする記録媒体。
【請求項１４】
前記埋め込まれたウォータマークパターンは、前記記録媒体のコンテンツの期間の一部又は全体を通して繰り返される、
請求項１３記載の記録媒体。
【請求項１５】
前記第１のスケールを有するウォータマークは、コンテンツ期間の１／４を通して埋め込まれ、他のスケールを有するウォータマークは、前記コンテンツの残りの期間を通して埋め込まれる、
請求項１４記載の記録媒体。
【請求項１６】
選択された各スケールが埋め込まれたウォータマークのスケーリングにおいて所定回数使用されるまで、前記埋め込まれたウォータマークパターンが繰り返される、
請求項１３記載の記録媒体。
【請求項１７】
それぞれのスケールはランダムに選択される、
請求項１３記載の記録媒体。
【請求項１８】
前記スケールのレンジは、前記第１のスケールに関して±２０パーセントである、
請求項１４記載の記録媒体。
【請求項１９】
パターンに従って前記ウォータマークが埋め込まれるスケールの数は、スケールのレンジ、及び前記ウォータマーク検出器のウォータマーク検出解像度を使用して決定される、
請求項１８記載の記録媒体。
【請求項２０】
前記第１の時間の期間は、前記ウォータマーク検出器により前記ウォータマークを検出、抽出及び処理するために要求される時間に基づく、
請求項１１記載の記録媒体。
【請求項２１】
デジタル記録媒体は、デジタルバーサティルディスク（ＤＶＤ）である、
請求項１３記載の記録媒体。
【請求項２２】
前記第１の時間の期間は、前記第２の時間の期間に等しい、
請求項１３記載の記録媒体。
【請求項２３】
前記第１の時間の期間は、前記第２の時間の期間とは異なる、
請求項１３記載の記録媒体。
【請求項２４】
ウォータマークが埋め込まれたビデオを供給する方法であって、
ビデオストリームを供給するステップと、
ウォータマークを供給するステップと、
第１の時間の期間で、第１のスケールを有するウォータマークを前記ビデオストリームに埋め込むステップと、
第２の後続する時間の期間に、別の第２のスケールを有するウォータマークを、前記第２のスケールにより前記ビデオストリームをスケーリングすることなしに、前記ビデオストリームに埋め込むステップと、
第３の後続する時間の期間に、別の第３のスケールを有するウォータマークを、前記第３のスケールにより前記ビデオストリームをスケーリングすることなしに、前記ビデオストリームに埋め込むステップとを含み、
前記ビデオストリームの画像スケールが変更されたとしても、前記ビデオストリームのスケーリングにより少なくとも１つの埋め込まれたウォータマークが前記ビデオストリームにおける予め決定されたサイズ及び位置に回復され、前記ウォータマークが前記予め決定されたサイズ及び位置で、予め決定されたサイズ及び位置のウォータマークを検出する典型的なウォータマーク検出器により検出可能である、
ことを特徴とする方法。
【請求項２５】
その後の時間の諸期間において前記ウォータマークを前記ビデオストリームに埋め込むステップを更に含む、
請求項２４記載の方法。
【請求項２６】
前記第１のスケールを有するウォータマークは、前記ビデオストリームの期間の１／４を通して埋め込まれ、他のスケールを有するウォータマークは、前記ビデオストリームの残りの期間を通して埋め込まれる、
請求項２５記載の方法。
【請求項２７】
選択された各スケールが、埋め込まれたウォータマークのスケーリングにおいて所定回数使用されるまで、前記埋め込むステップを繰り返すステップを更に含む、
請求項２５記載の方法。
【請求項２８】
それぞれのスケールはランダムに選択される、
請求項２４記載の方法。
【請求項２９】
前記第２のスケールと前記第３のスケールのレンジは、前記第１のスケールに関して±２０パーセントである、
請求項２４記載の方法。
【請求項３０】
全体のスケール数を予め決定するステップを更に含む、
請求項２５記載の方法。
【請求項３１】
それぞれの時間の期間は、前記ウォータマーク検出器により前記ウォータマークを検出、抽出及び処理するために要求される時間である、
請求項２４記載の方法。
【請求項３２】
前記ビデオストリームのソースは、デジタルバーサティルディスク（ＤＶＤ）である、
請求項２４記載の方法。
【請求項３３】
前記ビデオストリームのソースは、ブロードキャストされるビデオ信号、又はケーブル伝送されるビデオ信号である、
請求項２４記載の方法。
【請求項３４】
前記第１の時間の期間は前記第２の時間の期間に等しい、
請求項２４記載の方法。
【請求項３５】
前記第１の時間の期間は後続する時間の期間とは異なる、
請求項２４記載の方法。
【請求項３６】
ビデオコンテンツを記憶する記録媒体であって、
種々のスケールで前記ビデオコンテンツに埋め込まれたウォータマークを有しており、その埋め込み方は、
前記コンテンツの第１の時間の期間において前記ビデオコンテンツに第１のスケールを有する前記ウォータマークが埋め込まれ、
前記ビデオコンテンツの第２の後続する時間の期間において別の第２のスケールを有する前記ウォータマークが、前記第２の時間の期間における前記ビデオコンテンツが前記第２のスケールによりスケーリングされることなしに埋め込まれ、
前記ビデオコンテンツの第３の後続する時間の期間において別の第３のスケールを有する前記ウォータマークが、前記第３の時間の期間における前記ビデオコンテンツが前記第３のスケールによりスケーリングされることなしに埋め込まれるようになっており、
プレーヤーによる前記コンテンツの再生に際して、前記ビデオコンテンツのスケーリングにより、少なくとも１つの埋め込まれたウォータマークが予め決定されたサイズ及び位置に回復され、前記ウォータマークが前記予め決定されたサイズ及び位置で、予め決定されたサイズ及び位置のウォータマークを検出するプレーヤー内の典型的なウォータマーク検出器により検出可能である、
ことを特徴とする記録媒体。
【請求項３７】
前記第２の時間の期間において、前記ビデオコンテンツは前記別のスケールによりスケーリングされない、
請求項１記載の方法。
【請求項３８】
前記第２の予め決定された期間で、前記ビデオコンテンツは前記別のスケールによりスケーリングされない、
請求項１３記載の記録媒体。
【請求項３９】
複数のウォータマークをビデオ情報に埋め込む方法であって、
ａ）第１の時間の期間で前記ビデオ情報にスケールのレンジから選択された第１のスケールを有するウォータマークを埋め込むステップと、
ｂ）前記第１の時間の期間又は前記期間の終わりで、第２の時間の期間について前記ビデオ情報のビデオコンテンツにスケールのレンジから選択された別のスケールを有するウォータマークを埋め込むステップと、
ｃ）Ｎ個のスケールに到達するまで、異なるスケールを使用して前記ステップ（ｂ）を繰り返すステップと、
を含むことを特徴とする方法。
【発明の詳細な説明】
【０００１】
［発明の分野］
本発明は、一般的にコピー防止に関し、より詳細には、画像スケーリングによる電子透かしのコピー防止の回避を阻止する方法に関する。
【０００２】
［発明の背景］
ＣＤ（Compact Disc）から生まれたＤＶＤ（Digital Versatile Discs）は、デジタルビデオ及びオーディオデータを記憶するためのメデイアフォーマットとして増々人気が高まってきている。改善された信頼性と同様に、大幅に改善されたビデオ及びオーディオ品質を含むという理由のために、ＤＶＤのフォーマットは、映画等のようなホームビデオコンテンツを記憶するために好まれてきたビデオホームシステム（ＶＨＳ）のテープフォーマットを徐々に置き換えている。
【０００３】
また、ＤＶＤを消費者に対して魅力的にするその技術的に優れた点は、映画制作会社のようなＤＶＤの著作権保護されたコンテンツオーナに大いに関連している。これは、原版よりも品質が顕著に劣るアナログコピーとは異なり、デジタルコピーは、ビデオ及びオーディオ品質の観点で原版と実質的に同じであるため、一般消費者は、著作権保護されていないＤＶＤコンテンツのコピーを試みる。
【０００４】
今では専門的なユーザのみが利用することができるＤＶＤレコーダ、デジタルＶＨＳ（ＤＶＨＳ）レコーダ、デジタルビデオカセットレコーダ（ＤＶＣＲ）及び他のデジタルフォーマットレコーダは、そう遠くない将来には、一般消費者が手頃な価格で入手することができる。このために、かかるコピーの試みは、容易に実現することができる。
【０００５】
著作権保護されていないコピー（アナログ又はデジタル）の問題に対して、提案されている解決方法は、生産過程で、秘匿の認証情報（たとえば、ユニークなシリアル番号、トランザクション識別子等）、又は秘匿のコピー保護情報を（たとえば、著作権又はその他）をオリジナルビデオに埋め込むことである。
【０００６】
秘匿の認証情報及びコピー防止情報は、一般にウォータマークとして言及され、肉眼では感知することはできないが、特定の回路及び／又はアルゴリズムを使用して検出される。ウォータマーキングのかかる典型的な処理は、たとえば、WO/0051348号、WO9918723号及びWO9960791号において開示されている。ウォータマークは、画像を通して当然に生じる変形例において埋め込まれ、コピー、改ざん及び圧縮といった複数の生成に耐えるために十分にロバストである。
【０００７】
検出が容易で妥当な最も簡単な実現では、ウォータマークは、オリジナルビデオにヘッダー及びトレイラーとして添付される。より精巧な実現では、ウォータマークは、オリジナルビデオを通して分散されており、該ウォータマークを識別して除去することをより難しくしている。
【０００８】
ＤＶＤの違法なデジタルコピーを防止するために、このコピー防止方法に合致する全てのＤＶＤレコーダ、ＤＶＨＳレコーダ、ＤＶＣＲ及び他のデジタルフォーマットレコーダは、ＤＶＤ又は他のビデオソースを再生するＤＶＤプレーヤから転送されるデジタル又はアナログビデオに埋め込まれるウォータマークを検出することが可能な検出器を含んでいる。
【０００９】
かかるウォータマークがデジタルデータストリームにおいて検出される場合には、これらのＤＶＤレコーダ、ＤＶＨＳレコーダ、ＤＶＣＲ及び他のデジタルフォーマットレコーダが利用され、該レコーダ自身を遮断して違法なコピーの試みを停止する。しかし、画像スケーリング〔スケール変更〕（すなわち、サイジング）機能は、全てのＤＶＤプレーヤにおいて標準機能としてやがて利用することができ、ＤＶＤビデオ画像の物理的なスケーリングが可能となる。
【００１０】
ＤＶＤビデオ画像が標準スケールに関連してスケールアップ又はダウンされる場合、ウォータマークは、ＤＶＤレコーダ、ＤＶＨＳレコーダ、ＤＶＣＲにより検出されない場合がある。この理由は、ウォータマークは、水平及び垂直同期パルスに関連する所与のＸ−Ｙ座標を使用して、典型的に検出されるからである。ウォータマークの位置及びサイズが、画像スケーリングに関連して直接変化するので、所与のＸ−Ｙ座標は、ウォータマークの配置ではもはや正確ではない。
【００１１】
ここで、図１Ａ〜図１Ｃを参照して、ここでは、画像スケーリングによる例示的なウォータマークの位置及びサイズの観点での変化例が例示されている。
図１Ａは、ビデオ画像１０１及びウォータマーク１０２が標準スケールである場合の、ビデオ画像１０１及びモニタスクリーン１００に関連する例示的なウォータマーク１０２の位置（Ｘ，Ｙ）及びサイズ（Ｈ，Ｗ）を例として示している。
【００１２】
図１Ｂは、ビデオ画像が全てのモニタスクリーン１００を埋めるように、ビデオ画像１０１及びウォータマーク１０２が任意の拡大スケールである場合の、ビデオ画像１０１及びモニタスクリーン１００に関連するウォータマークの位置及びサイズを例として示している。図１Ｂにおいて示されるように、サイズ（Ｈ１，Ｗ１）で拡大されていることに加え、ウォータマーク１０２の位置（Ｘ１，Ｙ１）は、図１Ａにおいて示される前の位置に関してシフトされている。
【００１３】
図１Ｃは、ビデオ画像１０１及びウォータマークが縮小されたスケールである場合の、ビデオ画像１０１及びモニタスクリーン１００に関連するウォータマーク１０２の位置及びサイズを例として示している。図１Ｃにおいて示されるように、サイズ（Ｈ２，Ｙ２）で縮小されていることに加えて、ウォータマーク１０２の位置（Ｘ２，Ｙ２）は、図１Ａおよび図１Ｂにおいて示されている前の位置に関連してシフトされている。
【００１４】
図１Ａ〜図１Ｃにより示されるように、画像スケーリングによるウォータマークの位置における変化により、ウォータマークが検出されなくなる。ウォータマークがＤＶＤレコーダＤＶＨＳレコーダ及びＤＶＣＲにより検出されない場合には、違法なコピーを阻止するために自動的に停止することができず、この方法が無意味なものとなる。
【００１５】
したがって、ＤＶＤレコーダ、ＤＶＨＳレコーダ及びＤＶＣＲにおいて複雑かつ高価なハードウェアを追加する必要なしに、コピー処理の間の画像スケーリングを使用した、ＤＶＤ及び他のビデオソースの違法なデジタルコピーを阻止するためのロバストな技術について、必要が存在している。
【００１６】
［発明の概要］
したがって、本発明は、ＤＶＤレコーダ、ＤＶＨＳレコーダ及びＤＶＣＲにおいて複雑かつ高価なハードウェアを追加することを要求することなしに、ＤＶＤ及びコピー処理の間に画像スケーリングを使用した他のビデオソースの違法なデジタルコピーを防止するための技術を提供する。
【００１７】
本発明は、ロバストな方法により上記必要に適するものであり、画像スケーリングの使用に抵抗することなく、ＤＶＤ、デジタルブロードキャストビデオ信号等のようなビデオ情報の違法なコピーを阻止する。本発明によれば、画像スケーリングにおいて海賊版が使用される可能性があるスケールのレンジが決定される。かかるスケールのレンジは、たとえば、画像の損失がエッジ周辺を詳述するように、画質に基づくことができる。
【００１８】
このスケールのレンジを使用して、異なるスケールを有するウォータマークは、パターンに従うビデオ情報ストリームに埋め込まれる。特に、スケールのレンジから選択される標準スケールを有するウォータマークは、第１の時間周期についてビデオ情報ストリームに埋め込まれる。
【００１９】
この第１の時間周期の間又は該周期の終了で、スケールのレンジから選択された別のスケールを有するウォータマークが、第２の時間周期についてビデオストリームに埋め込まれる。利用されるスケールのカウンタは、モニタされている。異なるスケールを使用して、ウォータマークが埋め込まれる。このパターンは、カウンタがＮ番のスケールに到達するまで繰り返される。
【００２０】
本発明の目的は、「逆の」スケールを有するウォータマークを識別して、画像スケーリングの作用に対抗して、オリジナルのサイズ及び位置にウォータマークを回復するために使用することができることにある。これにより、典型的なウォータマーク検出器により、ウォータマークを検出することが可能となる。かかる検出は、違法な複製の間にレコーダを停止することでトリガされる。
【００２１】
１実施の形態では、２０秒間隔毎に、標準スケールを有するウォータマークが５秒間について埋め込まれ、これに続いて、異なるスケールを有する３つのウォータマークが次の３つの５秒間隔で埋め込まれる。ここでは、標準スケールを有するウォータマークは、ビデオ情報の期間の約１／４を通して埋め込まれ、他の選択されたスケールを有するウォータマークは、ビデオ情報の残りの期間を通して埋め込まれる。これにより、どのような画像スケールが使用されたかに関わらず、違法な複製は、ビデオ情報の期間を通して所定番号の時間により阻止される。
【００２２】
代替的な実施の形態では、選択された各スケールが埋め込まれたウォータマークのスケーリングにおいて所定回数使用され、デジタルレコーダがその回数停止することを保証する。
【００２３】
［発明の実施の形態］
本発明の特徴及び利点は、添付図面と共に、以下の好適な実施の形態の詳細な説明から明らかとなる。
本発明の以下に示す詳細な記載では、本発明の全体的な理解を提供するために、様々な具体例の詳細が示される。しかし、当業者には、本発明がこれら具体例の詳細なしに実施されてもよいことが明らかであろう。他の例では、公知の方法、手順、構成要素及び回路は、本発明の不必要に不明瞭な態様とならないため、詳細を記載していない。
【００２４】
以下の記載は、ＤＶＤの違法なコピーを阻止する文脈において本発明を記載しているが、当業者には、いずれかのビデオソース（たとえば、ブロードキャスト又はケーブル伝送されたビデオ信号、ビデオレコーダ等）から、いずれかのデジタルフォーマットレコーダへの、いずれかのタイプのビデオ情報（アナログ又はデジタル）の違法なコピーを阻止するために、本発明を使用することができることは明らかとなるはずである。
【００２５】
本発明によれば、ウォータマークは、生産の間にウォータマークエンベッダにより、異なるスケール（すなわち、サイズ）でＤＶＤコンテンツに埋め込まれている。ウォータマークは、時間周期の間にそれぞれのスケールで維持される。この時間周期は、ＤＶＤレコーダ、ＤＶＣＲ、又はいずれか他のデジタルフォーマットレコーダにおける検出回路が、ウォータマークに含まれる情報を検出、抽出及び処理することが十分に可能な時間である。
【００２６】
第１の時間周期の間、又は該周期の終了で、ウォータマークは、異なるスケール（好ましくは、擬似ランダムベースに関して）に変化し、スケーリングのレンジにおける全てのスケールのそれぞれが、Ｎ回達成されることが保証される。
【００２７】
好適な実施の形態では、ウォータマークは、ＤＶＤのプレイ時間の約１／４である全体の期間について、標準スケール（すなわち、デフォルトスケール）にスケーリングされ、ＤＶＤのプレイ時間の残りの期間について、非標準スケールでスケーリングされる。
【００２８】
ウォータマークが所定のレンジで実質的に全ての値にスケーリングされることを保証することにより、そのオリジナルの（水平及び垂直同期のような絶対基準に関連する）位置及びサイズにウォータマークを回復する対抗作用を有する特定のスケールを識別することができ、ＤＶＤレコーダ、ＤＶＨＳレコーダ、ＤＶＣＲ、又は他のフォーマットのレコーダに設けられる検出器により、ウォータマークを検出することを可能にするために使用することができる。かかる検出は、デジタルフォーマットレコーダにより使用され、違法なコピーを阻止するために停止する。
【００２９】
図２Ａ〜図２Ｃを参照して、本発明による画像スケーリングに関連するウォータマークスケーリングの対抗作用が例として示されている。図２Ａは、ビデオ画像２０１及びウォータマーク２０２が共に標準スケールである場合の、ビデオ画像２０１及びモニタスクリーン２００に関連する例示的なウォータマーク２０２の位置（Ｘ，Ｙ）及びサイズ（Ｈ，Ｗ）を例として示している。
【００３０】
標準的なスケール値は、ＤＶＤレコーダ、ＤＶＨＳレコーダ、ＤＶＣＲ、又は他のデジタルフォーマットレコーダのOriginal Equipment Manufactures（ＯＥＭ）により予め決定されている。
【００３１】
図２Ｂは、ビデオ画像２０１が全てのモニタスクリーン２００を埋めるようなビデオ画像２０１が任意の拡大スケールである場合、及びウォータマークをそのオリジナルの位置及びサイズに回復する対抗作用を提供するようなウォータマークが縮小スケールである場合、ビデオ画像２０１及びモニタスクリーン２００に関連するウォータマーク２０２の位置及びサイズを例として示している。
【００３２】
図２Ｂにおいて示されているように、ビデオ画像２０１の拡大サイズにもかかわらず、ウォータマーク２０２は、図２Ａにおいて示されるそのオリジナルの位置（Ｘ，Ｙ）及びサイズ（Ｈ，Ｗ）に回復されている。
【００３３】
図２Ｃは、ビデオ画像２０１が任意の縮小スケールである場合、及びウォータマークをそのオリジナルの位置及びサイズに回復する対抗作用を提供するようなウォータマーク２０２が拡大スケールである場合、ビデオ画像２０１及びモニタスクリーン２００に関連してウォータマークの位置及びサイズを例として示している。
【００３４】
図２Ｃに示されているように、ビデオ画像２０１が縮小サイズであるにも関わらず、ウォータマーク２０２は、図２Ａに示されるそのオリジナルの位置（Ｘ，Ｙ）及びサイズ（Ｈ，Ｗ）に回復される。
【００３５】
図２Ａ〜図２Ｃに示されているように、ウォータマークをそのオリジナルの位置及びサイズに回復するために、ウォータマークのスケーリングは、画像スケーリングに対して「逆に」関連している。たとえば、画像が＋１０％だけ拡大される場合、その位置及びサイズがオリジナルの値に回復される必要がある場合、ウォータマークは−１０％だけ縮小される必要がある。同様に、画像が−１０％だけ縮小される場合、その位置及びサイズがオリジナルの値に回復される必要がある場合、ウォータマークは、＋１０％だけ拡大される必要がある。
【００３６】
したがって、本発明の下では、スケーリングレンジにおける実質的に全ての可能な値で所定番号の時間に、ウォータマークがスケーリングされていることを確認することが望まれる。これにより、特定の「逆の」スケーリング値を識別することができ、ＤＶＤコンテンツの海賊版によりウォータマークをバイパスするための画像スケーリングの作用に対抗するためのウォータマークにより使用することができる。
【００３７】
好適な実施の形態では、標準スケールに関連して±２０％のスケーリングレンジが実現される。経験的なデータによれば、標準スケールに関連して＋２０％よりも大きな拡大により、重要な詳細が画像のエッジ周辺で失われる可能性があり、違法コピーのために実現されそうにない。同様にして、標準スケールに関連して−２０％よりも大きな縮小により、画像を見るためにあまりに小さくし、違法コピーのために実現されそうにないだけでなく、画像周辺に望まれない大きな黒い境界が生じる可能性がある。
【００３８】
しかし、他のスケーリングレンジが使用される場合があり、なお本発明の範囲であることが理解されるべきである。典型的なウォータマーク検出器が±０．２５％の解像度を有しており、好適な実施の形態では±０．４％のスケーリングステップが実現され、オーバラップに対してマージンが提供される。他のスケーリングステップが使用される場合があり、本発明において可変のスケーリングステップもまた実現することができる。
【００３９】
±２０％のスケーリングレンジ及び±０．４％のスケーリングステップにより、好適な実施の形態では、全体で１００の非標準的なスケールが存在する。これらから、非標準スケールのうちの１つが、画像スケーリングにおいて使用される「逆の」スケールにとなる可能性が高い。
【００４０】
上述したように、かかる「逆の」スケーリング要素によりウォータマークがスケーリングされた場合、ウォータマークの位置及びサイズは、そのオリジナルの値に回復され、これにより、ウォータマークの検出器はウォータマークを検出することができる。
【００４１】
さらに、典型的なウォータマーク検出器は、埋め込まれているウォータマークにおける情報を検出し、抽出して処理するために５秒を要する。このために、それぞれのスケーリングステップでは、好適な実施の形態において５秒の最小期間を必要とする。改善されたウォータマーク検出器が導入された際には、この最小期間は変化を受け易いことを理解すべきである。
【００４２】
好適な実施の形態では、ＤＶＤの全体のプレイ時間の１／４について、ウォータマークが標準スケールを有することが望ましい。これは、十分な数の中断（すなわち、レコーダが遮断）を提供するために提供され、ＤＶＤレコーダ、ＤＶＨＳレコーダ、ＤＶＣＲ、又は他のデジタルフォーマットレコーダにおいて画像スケーリング特徴を利用することができない場合に、違法なコピーを止めさせるために設計される。
【００４３】
ＤＶＤの全プレイ時間のうちの残りの３／４は、他の（１００の）非標準スケールに充てられる。当業者であれば、他の比率が使用されてもよいことは明らかであろう。例として、２時間の長時間の映画について、標準スケールのウォータマークの出現は、この映画を通して３６０回（１８００秒／５秒＝３６０）存在し、非標準スケールのウォータマークの出現は１，０８０回（５４００秒／５秒）存在する。
【００４４】
１００個の非標準スケールが存在するので、ウォータマークは、それぞれのウォータマークの非標準スケールで、映画を通して少なくとも１０回出現する。これは、違法なコピーの試みにおいて少なくとも１０回の中断が存在することを意味している。その中断のそれぞれでは、海賊版が起動し、ディスクを最初に戻し、画像スケーリングを新たなスケーリング値に調整し、次いでレコードを進める。かかる主要な不便さにより、殆どの家庭での違法なコピーの試みを止めさせることができる。
【００４５】
好適な実施の形態では、映画を通して標準スケールのウォータマークを一様に分散するために、２０秒の周期毎について、ＤＶＤのビデオ／オーディオデータコンテンツに標準スケールのウォータマークが５秒間埋め込まれ、これに続いて、３つの５秒、すなわち任意の非標準スケールのウォータマークの他の周期期間がある。次の２０秒のインターバルについて、このパターンは繰り返されるが、非標準スケールのウォータマークについて異なるスケールが選択されている。
【００４６】
非標準スケールのウォータマークは、それぞれの映画についてランダムに選択され、どの映画のどこで特定のウォータマークのスケールが生じるかを判定することを困難にする。このパターンは、全期間のうちの埋め込まれた標準スケールのウォータマークと非標準スケールのウォータマークとの比率に基づいている。
【００４７】
図３は、このウォータマークの分散パターンの例示を提供している。図３では、時間ラインに沿った（ＤＶＤコンテンツ情報又は他のビデオソースを表す）ビデオデータフレームの系列が例示されており、ウォータマークはそれぞれのデータフレームに埋め込まれて示されている。
【００４８】
便宜上のために、それぞれのデータフレームは、５秒間を有するものと仮定している。図３において示されているように、ウォータマーク３００のサイズは、フレーム間で異なっている。第１のデータフレームは、標準スケールでのウォータマークを有しており、後続するウォータマークは、ランダムに異なるスケールによるウォータマークを有している。このパターンは、ビデオ情報（たとえば、ＤＶＤコンテンツ時間又は他のビデオソース）の期間を通して繰り返される。
【００４９】
他のパターンもまた、本発明の範囲内であることが理解されるべきである。標準スケールのウォータマーク及び非標準スケールのウォータマークは、専用のウォータマークエンベッダによりその生産の間に、ＤＶＤ又はいずれか他のビデオソースに埋め込まれる。レコーダにおいて追加のハードウェアが要求されないので、提案される著作権保護のスキームにおいてレコーダのＯＥＭが参加することをより魅力的にする。
【００５０】
当業者であれば、ウォータマークの埋め込みプロセスは公知であり、このプロセスについて使用されるウォータマークエンベッダも公知であり、商業的に容易に入手することが可能であることは明らかである。このために、簡潔さの目的でこれらを更に論じない。専用のウォータマークエンベッダの費用は、数千ドルであり、これらのマシンに対する本発明により課される費用は、取るに足らない。
【００５１】
本発明の好適な実施の形態では、画像スケーリングに抵抗することなく、ＤＶＤ又は他のビデオソースのビデオ情報の違法コピーを阻止するための技術が記載された。または、本発明が特定の実施の形態において記載された。本発明は、かかる実施の形態により限定されたものとして解釈されるべきではなく、特許請求の範囲により解釈されるべきである。
【図面の簡単な説明】
【図１Ａ】  ビデオ画像１０１及びウォータマーク１０２が標準スケールである場合の、ビデオ画像１０１及びモニタスクリーン１００に関連する例示的なウォータマーク１０２の位置（Ｘ，Ｙ）及びサイズ（Ｈ，Ｗ）の例を示す図である。
【図１Ｂ】  ビデオ画像１０１が全てのモニタスクリーン１００に埋められるように、ビデオ画像１０１及びウォータマーク１０２が任意の拡大スケールである場合の、ビデオ画像１０１及びモニタスクリーン１００に関連するウォータマーク１０２の位置及びサイズの例を示す図である。
【図１Ｃ】  ビデオ画像１０１及びウォータマーク１０２が任意の縮小スケールである場合の、ビデオ画像１０１及びモニタスクリーン１００に関連するウォータマーク１０２の位置及びサイズの例を示す図である。
【図２Ａ】  ビデオ画像２０１及びウォータマーク２０２が共に標準スケールである場合の、ビデオ画像２０１及びモニタスクリーン２００に関連する例示的なウォータマーク２０２の位置（Ｘ，Ｙ）及びサイズ（Ｈ，Ｗ）の例を示す図である。
【図２Ｂ】  本発明において、ビデオ画像２０１が全てのモニタスクリーン２００に埋められるようなビデオ画像２０１が任意の拡大スケールである場合、及びウォータマークをそのオリジナルの位置及びサイズに回復する対抗作用を提供するようなウォータマーク２０２が縮小スケールである場合、ビデオ画像２０１及びモニタスクリーン２００に関連するウォータマーク２０２の位置及びサイズの例を示す図である。
【図２Ｃ】  本発明において、ビデオ画像２０１が任意の拡大スケールである場合、及びウォータマークをそのオリジナルの位置及びサイズに回復する対抗作用を提供するようなウォータマーク２０２が縮小スケールである場合、ビデオ画像２０１及びモニタスクリーン２００に関連するウォータマーク２０２の位置及びサイズの例を示す図である。
【図３】  本発明による、好適なウォータマーク分散パターンの例を提供する図である。
【図１Ａ】
0004387627.tif 000002
【図１Ｂ】
0004387627.tif 000003
【図１Ｃ】
0004387627.tif 000004
【図２Ａ】
0004387627.tif 000005
【図２Ｂ】
0004387627.tif 000006
【図２Ｃ】
0004387627.tif 000007
【図３】
0004387627.tif 000008